(57)【要約】      （修正有） 【課題】気軽に携帯し、コミュニケーションツールとしても使用できる仮眠マスクシートを提供する。【解決手段】一対の第一係留め手段２が、布地又は紙地で成形される略長方形の面における長手方向の一端部の両隅付近に位置し、且つ、短手方向を折り曲げ線３に沿って二つ折りにしたときに両隅が重なり合う位置に設けられており、一対の第一係留め手段２を係り留めすることで頭部を覆うことができる立体部分と共に顔面を覆うことができる部分が形成されるようにする。【選択図】図３
0003207984.tif 000002
【実用新案登録請求の範囲】
【請求項１】
一対の第一係留め手段が、
布地又は紙地で成形される略長方形の面における長手方向の一端部の両隅付近に位置し、且つ、
短手方向を折り曲げ線に沿って二つ折りにしたときに前記両隅が重なり合う位置に設けられており、
前記一対の第一係留め手段を係り留めすることで頭部を覆うことができる立体部分と共に顔面を覆うことができる部分が形成されることを特徴とする仮眠マスクシート。
【請求項２】
前記布地又は紙地で成形される略長方形の面の短手方向を折り曲げ線に沿って二つ折りにしたときに構成される前記折り曲げ線を共通辺とする二つの略長方形の面において、
更に一対の第二係り留め手段が、
各面ごとに、
前記折り曲げ線に対向する辺上及び
前記長手方向の一端部の辺上に位置し、
且つ、
前記一対の第一係留め手段を係り留めした状態で形成された開口部の内側を広げてつぶすように折り曲げたときに前記両辺が外側で重なり合う位置に設けられている
ことを特徴とする請求項１に記載の仮眠マスクシート。
【請求項３】
前記布地又は紙地で成形される略長方形の面の短手方向を折り曲げ線に沿って二つ折りにしたときに構成される前記折り曲げ線を共通辺とする二つの略長方形の面において、
更に一対の第二係り留め手段が、
各面ごとに、
前記長手方向の一端部の辺上に位置し、
且つ、
前記一対の第一係留め手段を係り留めした状態で形成された開口部の内側を広げてつぶすように折り曲げたときに前記辺が内側又は外側で重なり合う位置に設けられている
ことを特徴とする請求項１に記載の仮眠マスクシート。
【請求項４】
前記一対の第一係留め手段又は一対の第二係り留め手段は、面ファスナー、スナップボタン又はマグネットのうちいずれかであることを特徴とする請求項１〜請求項３に記載の仮眠マスクシート。
【請求項５】
前記布地は、織物、編み物、レース、不織布のうちいずれか一又は二以上で構成されていることを特徴とする請求項１〜請求項４に記載の仮眠マスクシート。
【請求項６】
前記顔面を覆うことができる部分には、通気口を有していることを特徴とする請求項１〜請求項５のいずれか一項に記載の仮眠マスクシート。
【請求項７】
前記通気口は、スリットであり、顔下半分を覆う部分のうち、左右対称に少なくとも一対備わっていることを特徴とする請求項１〜請求項６のいずれか一項に記載の仮眠マスクシート。
【請求項８】
前記仮眠マスクシートの表面には、印刷部を有していることを特徴とする請求項１〜請求項７のいずれか一項に記載の仮眠マスクシート。
【考案の詳細な説明】
【技術分野】
【０００１】
本考案は、仮眠マスクシートに関するものである。
【背景技術】
【０００２】
従来、旅行や出張中に飛行機や電車又はバス等の交通手段を利用する場合や公共の場で仮眠をとる際に、他人に寝顔を見られないようにタオルやハンカチ又は新聞や雑誌等で顔を覆うか又はうつ伏せで顔を腕に当てる等している。
【０００３】
また、最近では仮眠中にアイマスクで目元部分を覆う手段も試されている。
【先行技術文献】
【特許文献】
【０００４】
【特許文献１】特開２００７−２１０２０
【考案の概要】
【考案が解決しようとする課題】
【０００５】
しかしながら、タオル等で覆う手段では、顔の向きを変えるとずれ落ちやすく、タオル等で覆われていない顔の一部分が日焼けしやすいといった問題が生じ、また、うつ伏せでは、腕が疲れたり、腕の跡が顔に残ったりするため、寝づらいといった問題があった。
【０００６】
そして、アイマスクによる手段では、顔全体が隠れるわけではない為、開いた口や口元からよだれの垂れた寝顔を見られる可能性があり、また、目元に布地を押し当てる状態になる為、つけまつ毛のずれや化粧落ち等を気にする女性にとっては適当な手段ではなかった。
【０００７】
更に、用途を限定せず、使用しやすく、使用により周囲とも違和感を生じさせない仮眠マスクシートシートの開発が望まれていた。
【０００８】
そこで、上記の問題を解消し、気軽に携帯し、コミュニケーションツールとしても使用できる仮眠マスクシートシートを提供する。
【課題を解決するための手段】
【０００９】
一対の第一係留め手段が、布地又は紙地で成形される略長方形の面における長手方向の一端部の両隅付近に位置し、且つ、短手方向を折り曲げ線に沿って二つ折りにしたときに前記両隅が重なり合う位置に設けられており、前記一対の第一係留め手段を係り留めすることで頭部を覆うことができる立体部分と共に顔面を覆うことができる部分が形成されるようにする。
【００１０】
前記布地又は紙地で成形される略長方形の面の短手方向を折り曲げ線に沿って二つ折りにしたときに構成される前記折り曲げ線を共通辺とする二つの略長方形の面において、
更に一対の第二係り留め手段が、
各面ごとに、
前記折り曲げ線に対向する辺上及び
前記長手方向の一端部の辺上に位置し、
且つ、
前記一対の第一係留め手段を係り留めした状態で形成された開口部の内側を広げてつぶすように折り曲げたときに前記両辺が外側で重なり合う位置に設けるようにする。
【００１１】
または、
前記布地又は紙地で成形される略長方形の面を短手方向を折り曲げ線に沿って二つ折りにしたときに構成される前記折り曲げ線を共通辺とする二つの略長方形の面において、
更に一対の第二係り留め手段が、
各面ごとに、
前記長手方向の一端部の辺上に位置し、
且つ、
前記一対の第一係留め手段を係り留めした状態で形成された開口部の内側を広げてつぶすように折り曲げたときに前記辺が内側又は外側で重なり合う位置に設けるようにする。
【００１２】
前記一対の第一係留め手段又は一対の第二係り留め手段は、面ファスナー、スナップボタン又はマグネットのうちいずれかを用いる。
【００１３】
仮眠マスクシートの布地は、織物、編み物、レース、不織布のうちいずれか一又は二以上の素材で構成する。
【００１４】
仮眠マスクシートのうち顔面を覆うことができる部分には、通気口を備えておく。
【００１５】
また、通気口は、スリットであり、顔下半分を覆う部分のうち、左右対称に少なくとも一対備えておく。
【００１６】
そして、適宜仮眠マスクシートの表面に文字や図形等の模様を印刷する。
【考案の効果】
【００１７】
本考案によれば、他人に寝顔を見られることなく一定の遮光効果を得られる仮眠マスクシートシートにできる。
【００１８】
仮眠マスクシートを被ったときにできる頭部のとんがり部分を低くし、目立たなくすることができる。
【００１９】
簡単に係り留めできるため、すばやく仮眠マスクシートを使用できる。
【００２０】
また、仮眠マスクシートとしての用途に加えて、例えば、布地をタオル地にすれば通常のタオルとしての使用が可能となり、厚手の生地にするとブランケットとしての使用が別途可能となる。
【００２１】
更に、布地の選択により、丸めて首に当てるとクッションとしての使用が可能となり、首周りで係り止めすれば、エプロンとしての使用が別途可能となる。
【００２２】
そして、仮眠マスクシートの顔面を覆うことができる部分のうち、目や鼻、口付近に位置する面に通気口を設けて顔を覆ったままで外の様子を確認することや、息苦しさを解消することもできる。
【００２３】
正面からの通気口を目立なくさせ、息苦しくない状態を可能にする。
【００２４】
更に、仮眠マスクシートの表面に文字や図形等の模様を印刷しておけば、印刷の内容により周囲を楽しませたり、配慮したりすることができる。
【考案を実施するための最良の形態】
【００２５】
以下、図１乃至図１４を参照して本考案に係る仮眠マスクシートを説明する。
【実施例１】
【００２６】
まず、図１のように略長方形の布地面に対して長手方向の一端部の両隅付近に一対の第一係留め手段２を設け、短手方向を折り曲げ線３に沿って二つ折りにしたときに前記両隅が重なり合って、一対の第一係留め手段２が係り留めされるようにする。
【００２７】
このとき、一対の第一係留め手段として、面ファスナー、スナップボタン又はマグネットのうちいずれかを用いる。
【００２８】
例えば、一対の第一係留め手段２としてスナップボタンを使用した場合、図３のように一端部両隅に設けたスナップボタンを構成する一方の凸部ともう一方の凹部を係止めすることで頭部を覆うことができる立体部分がフード形状を形成すると共に顔面を覆うことができる部分が形成される。
【実施例２】
【００２９】
次に、図１の一対の第一係留め手段を有した仮眠マスクシートに、更に一対の第二係り留め手段５を加えて図４のように配置する。
【００３０】
まず、一対の第二係り留め手段５は、布地又は紙地で成形される略長方形の面の短手方向を折り曲げ線３に沿って二つ折りにしたときに構成される前記折り曲げ線３を共通辺とする二つの略長方形の面において、各面ごとに配置される。
【００３１】
そして、例えば一対の第二係留め手段５としてスナップボタンを使用した場合、各面ごとに、前記折り曲げ線に対向する辺上にスナップボタンを構成する一方の凸部を配置し、前記長手方向の一端部の辺上にもう一方の凹部を配置し、且つ、図６のように前記一対の第一係留め手段２を係り留めした状態で形成された開口部９の内側を広げてつぶすように折り曲げたときに前記両辺が外側で重なり合う位置で係り留めされるようにする。
【００３２】
こうすることで、実施例１では図１０のように仮眠マスクシートを被ったときにできる頭部のとんがり部分４を低くし、目立たなくすることができるため、図１１のような状態になる。そして、使用状態が図１４である。
【実施例３】
【００３３】
また、図１の一対の第一係留め手段を有した仮眠マスクシートに、更に一対の第二係り留め手段５を加えて図７のように配置することもできる。
【００３４】
まず、一対の第二係り留め手段５は、前記布地又は紙地で成形される略長方形の面の短手方向を折り曲げ線３に沿って二つ折りにしたときに構成される前記折り曲げ線を共通辺とする二つの略長方形の面において、各面ごとに配置される。
【００３５】
そして、例えば一対の第二係留め手段５としてスナップボタンを使用した場合、各面ごとに、前記長手方向の一端部の辺上にスナップボタンを構成する一方の凸部及びもう一方の凹部を配置し、且つ、図９のように前記一対の第一係留め手段２を係り留めした状態で形成された開口部９の内側を広げてつぶすように折り曲げたときに前記辺が内側又は外側で重なり合う位置で係り留めされるようにする。
【００３６】
こうすることで、実施例２同様に、実施例１では図１０のように仮眠マスクシートを被ったときにできる頭部のとんがり部分４を低くし、目立たなくすることができるため、図１１のような状態になる。
【実施例４】
【００３７】
ここで、本考案の仮眠マスクシートは、顔を覆った状態で目や口と布地との間に多少の隙間ができる為、不快感はほとんど生じないが、図１２のように目や口や鼻付近に位置する面に通気口６を設けると、顔を覆ったままで外の様子を確認し、息苦しさを解消することもできる。
【００３８】
このとき、通気口６の大きさ、形状、個数は特に限定するものではない。
【００３９】
図１３のように口や鼻付近に位置する面に通気口６を設けると、正面からその通気口６が目立ってしまうような場合は、通気口６をスリット７として顔下半分を覆う部分のうち、左右対称に少なくとも一対備えても良い。
【００４０】
また、図１２及び図１３のように布地面に文字や図形等の模様を印刷しておけば、当該印刷部分８の内容により周囲を楽しませたり、配慮したりすることができるため、コミュニケーションツールとして様々な場所で使用できる。
【００４１】
外国人向けであれば、日本の伝統柄である小紋柄や漢字、人気アニメキャラクターを採用し、覆面状に人や動物の顔の正面図を採用しても良いし、図１３のように印刷部分８の文字を「しばらくお待ちください。」や「起すな、危険」等のメッセージ入りとしても良い。
【００４２】
更に、本考案に共通して、布地の選択については、仮眠マスクシートとしてのみの使用を望む場合は任意の布地を選べばよいが、仮眠マスクシートとしての使用に加えて、別の用途を望む場合は、布地の選択が必要となる。
【００４３】
例えば、通常のタオルとしての使用を望む場合は、吸収性の良いパイル地の布地を選択し、ブランケットとしての使用を望む場合は、厚手の生地を選択することができる。
【００４４】
このような生地を用いると、仮眠マスクシートを丸めて首に当てるとクッションとしての使用が可能となり、面ファスナーの位置を両端付近に設けて、首周りで係り留めすれば、エプロンとしての使用が可能となる。
【００４５】
その他にも、目的や必要に応じて、仮眠マスクシートに香りのする布地を用いたり、顔が完全に透けないメッシュ素材の生地を用いたり、裏地を縫い合わせたり、ポケットを設けたりしても構わない。
【００４６】
このように、好ましい実施例を挙げて本考案を説明したが、本考案はその実施例に限定されるものではなく、本考案の要旨の範囲内で種々に組み合わせや改変できる。
【図面の簡単な説明】
【００４７】
【図１】本考案に係る仮眠マスクシートの一対の第一係り留め手段の位置を示す展開図である。
【図２】本考案に係る仮眠マスクシートの展開図から折り曲げ線に沿って二つ折りにする様子を示す図である。
【図３】本考案に係る仮眠マスクシートの展開図から折り曲げ線に沿って二つ折りにし、一対の第一係り留め手段を係り留めした様子を示す図である。
【図４】本考案に係る仮眠マスクシートの一対の第一係り留め手段の位置と一対の第二係り留め手段の位置を示す展開図である。
【図５】本考案に係る仮眠マスクシートの展開図から折り曲げ線に沿って二つ折りにする様子を示す図である。
【図６】本考案に係る仮眠マスクシート展開図から折り曲げ線に沿って二つ折りにし、一対の第一係り留め手段を係り留めした様子を示す図である。
【図７】本考案に係る仮眠マスクシートの一対の第一係り留め手段の位置と一対の第二係り留め手段の位置を示す他の実施例の展開図である。
【図８】本考案に係る仮眠マスクシートの展開図から折り曲げ線に沿って二つ折りにする様子を示す他の実施例の図である。
【図９】本考案に係る仮眠マスクシート展開図から折り曲げ線に沿って二つ折りにし、一対の第一係り留め手段を係り留めした様子を示す他の実施例の図である。
【図１０】本考案に係る仮眠マスクシートを被ったときにできる頭部のとんがり部分示す図である。
【図１１】本考案に係る仮眠マスクシートを被ったときにできる頭部のとんがり部分が一対の第二係り留め手段により目立たなくなった様子を示す図である。
【図１２】本考案に係る仮眠マスクシートに印刷部と通気口を備える他の実施例の図である。
【図１３】本考案に係る仮眠マスクシートに文字による印刷部とスリットで出来た通気口を備える他の実施例の図である。
【図１４】本考案に係る仮眠マスクシートの使用状態を示した図である。
【符号の説明】
【００４８】
１  仮眠マスクシート
２  一対の第一係留め手段
３  折り曲げ線
４  とんがり部分
５  一対の第二係り留め手段
６  通気口
７  スリット
８  印刷部
９  開口部
【図１】
0003207984.tif 000003
【図２】
0003207984.tif 000004
【図３】
0003207984.tif 000005
【図４】
0003207984.tif 000006
【図５】
0003207984.tif 000007
【図６】
0003207984.tif 000008
【図７】
0003207984.tif 000009
【図８】
0003207984.tif 000010
【図９】
0003207984.tif 000011
【図１０】
0003207984.tif 000012
【図１１】
0003207984.tif 000013
【図１２】
0003207984.tif 000014
【図１３】
0003207984.tif 000015
【図１４】
0003207984.tif 000016